(57)【要約】【課題】一定のセキュリティレベルを担保しつつも、ユーザが簡易にセキュリティの解除を行うことができる携帯端末及び携帯端末の認証方法を提供する。【解決手段】携帯端末１では、静電パッド４と加速度センサ５とによって筐体２Ａのグリップ位置及び傾斜度を検知し、このグリップ位置と傾斜度とが予め格納された特定のグリップ位置及び傾斜度に一致している場合にユーザの認証を行うようになっている。したがって、ユーザは、携帯端末１の筐体２Ａを握って傾けるだけの簡単な操作でセキュリティの解除を行うことができる。また、グリップ位置は、ユーザによって特有の位置であり、傾斜度との組み合わせは無数に存在するため、一定のセキュリティレベルを担保できる。【選択図】図１
2011217149.tif 000002
【特許請求の範囲】
【請求項１】
ユーザによる筐体のグリップ位置を検出するグリップ位置検出手段と、
前記筐体の傾斜度を検出する傾斜度検出手段と、
特定のグリップ位置及び傾斜度を認証情報として予め格納する認証情報格納手段と、
ユーザによる所定の操作を契機として、前記グリップ位置検出手段によって検出されたグリップ位置及び前記傾斜度検出手段によって検出された前記筐体の傾斜度と、前記認証情報格納手段に格納された認証情報に含まれるグリップ位置及び傾斜度とを照合し、両者が一致している場合に前記ユーザを認証する認証手段と、を備えた携帯端末。
【請求項２】
前記傾斜度検出手段によって検出された前記筐体の傾斜度を表示手段に表示させる表示制御手段を更に備えた請求項１記載の携帯端末。
【請求項３】
前記グリップ位置検出手段によって検出された前記筐体のグリップ位置を表示手段に表示させる表示制御手段を更に備えた請求項１記載の携帯端末。
【請求項４】
前記認証手段は、前記グリップ位置検出手段によって検出されたグリップ位置及び前記傾斜度検出手段によって検出された前記筐体の傾斜度に所定時間変化がなかった場合に、そのグリップ位置及び傾斜度と前記認証情報格納手段に格納された認証情報に含まれるグリップ位置及び傾斜度とを照合する請求項１〜３のいずれか一項記載の携帯端末。
【請求項５】
認証情報格納手段が、特定のグリップ位置及び傾斜度を認証情報として予め格納する格納ステップと、
ユーザによる所定の操作を契機として、グリップ位置検出手段がユーザによる筐体のグリップ位置を検出すると共に、傾斜度検出手段が前記筐体の傾斜度を検出する検出ステップと、
認証手段が、前記検出ステップにおいて検出されたグリップ位置及び傾斜度と、前記格納ステップにおいて格納された認証情報に含まれるグリップ位置及び傾斜度とを照合し、両者が一致している場合に前記ユーザを認証する認証ステップと、を備えた携帯端末の認証方法。
【請求項６】
表示制御手段が、前記傾斜度検出手段によって検出された前記筐体の傾斜度を表示手段に表示させる表示ステップを更に備えた請求項５記載の携帯端末の認証方法。
【請求項７】
表示制御手段が、前記グリップ位置検出手段によって検出された前記筐体のグリップ位置を表示手段に表示させる表示ステップを更に備えた請求項５記載の携帯端末の認証方法。
【請求項８】
前記認証ステップにおいて、前記グリップ位置検出手段によって検出されたグリップ位置及び前記傾斜度検出手段によって検出された前記筐体の傾斜度に所定時間変化がなかった場合に、そのグリップ位置及び傾斜度と前記認証情報格納手段に格納された認証情報に含まれるグリップ位置及び傾斜度とを照合する請求項５〜７のいずれか一項記載の携帯端末の認証方法。
【発明の詳細な説明】
【技術分野】
【０００１】
本発明は、携帯端末及び携帯端末の認証方法に関する。
【背景技術】
【０００２】
従来、認証方法に関する技術として、例えば特許文献１に記載の静脈認証補助パネルがある。この静脈認証補助パネルは、静脈認証機能を備えた携帯電話機の筐体に着脱自在となっており、ユーザの指の位置を大まかに固定するための複数の指ガイド部と、指ガイド部内に設けられた窓部と、窓部の近傍に設けられた近赤外光の照明部とを備えている。
【先行技術文献】
【特許文献】
【０００３】
【特許文献１】特開２００７−２１５９５１号公報
【発明の概要】
【発明が解決しようとする課題】
【０００４】
上述したような静脈認証は、高いセキュリティレベルを実現できる一方で、セキュリティの解除に手間がかかるといった問題があった。携帯電話機のような端末では、ユーザの使い勝手を向上させる観点から、一定のセキュリティレベルを担保しつつも、ユーザが簡易にセキュリティの解除を行うことができる技術が望まれる。
【０００５】
本発明は、上記課題の解決のためになされたものであり、一定のセキュリティレベルを担保しつつも、ユーザが簡易にセキュリティの解除を行うことができる携帯端末及び携帯端末の認証方法を提供することを目的とする。
【課題を解決するための手段】
【０００６】
上記課題の解決のため、本発明に係る携帯端末は、ユーザによる筐体のグリップ位置を検出するグリップ位置検出手段と、筐体の傾斜度を検出する傾斜度検出手段と、特定のグリップ位置及び傾斜度を認証情報として予め格納する認証情報格納手段と、ユーザによる所定の操作を契機として、グリップ位置検出手段によって検出されたグリップ位置及び傾斜度検出手段によって検出された筐体の傾斜度と、認証情報格納手段に格納された認証情報に含まれるグリップ位置及び傾斜度とを照合し、両者が一致している場合にユーザを認証する認証手段と、を備えたことを特徴としている。
【０００７】
この携帯端末では、ユーザによる筐体のグリップ位置と筐体の傾斜度とが予め格納された特定のグリップ位置及び傾斜度に一致している場合にユーザの認証を行うようになっている。したがって、ユーザは、携帯端末の筐体を握って傾けるだけの簡単な操作でセキュリティの解除を行うことができる。また、グリップ位置は、ユーザによって特有の位置であり、傾斜度との組み合わせは無数に存在するため、一定のセキュリティレベルを担保できる。
【０００８】
また、傾斜度検出手段によって検出された筐体の傾斜度を表示手段に表示させる表示制御手段を更に備えたことが好ましい。この場合、ユーザがセキュリティ解除を行う際、認証情報に含まれる傾斜度に実際の傾斜度を合わせることが簡単になる。
【０００９】
また、グリップ位置検出手段によって検出された筐体のグリップ位置を表示手段に表示させる表示制御手段を更に備えたことが好ましい。この場合、ユーザがセキュリティ解除を行う際、認証情報に含まれるグリップ位置に実際のグリップ位置を合わせる操作が簡単になる。
【００１０】
また、認証手段は、グリップ位置検出手段によって検出されたグリップ位置及び傾斜度検出手段によって検出された筐体の傾斜度に所定時間変化がなかった場合に、そのグリップ位置及び傾斜度と認証情報格納手段に格納された認証情報に含まれるグリップ位置及び傾斜度とを照合することが好ましい。これにより、傾斜度及びグリップ位置の偶然の一致による誤ったセキュリティ解除がなされることを防止できる。
【００１１】
また、本発明に係る携帯端末の認証方法は、認証情報格納手段が、特定のグリップ位置及び傾斜度を認証情報として予め格納する格納ステップと、ユーザによる所定の操作を契機として、グリップ位置検出手段がユーザによる筐体のグリップ位置を検出すると共に、傾斜度検出手段が筐体の傾斜度を検出する検出ステップと、認証手段が、検出ステップにおいて検出されたグリップ位置及び傾斜度と、格納ステップにおいて格納された認証情報に含まれるグリップ位置及び傾斜度とを照合し、両者が一致している場合にユーザを認証する認証ステップと、を備えたことを特徴としている。
【００１２】
この携帯端末の認証方法では、ユーザによる筐体のグリップ位置と筐体の傾斜度とが予め格納された特定のグリップ位置及び傾斜度に一致している場合にユーザの認証を行うようになっている。したがって、ユーザは、携帯端末の筐体を握って傾けるだけの簡単な操作でセキュリティの解除を行うことができる。また、グリップ位置は、ユーザによって特有の位置であり、傾斜度との組み合わせは無数に存在するため、一定のセキュリティレベルを担保できる。
【００１３】
また、表示制御手段が、傾斜度検出手段によって検出された筐体の傾斜度を表示手段に表示させる表示ステップを更に備えたことが好ましい。この場合、ユーザがセキュリティ解除を行う際、認証情報に含まれる傾斜度に実際の傾斜度を合わせることが簡単になる。
【００１４】
また、表示制御手段が、グリップ位置検出手段によって検出された筐体のグリップ位置を表示手段に表示させる表示ステップを更に備えたことが好ましい。この場合、ユーザがセキュリティ解除を行う際、認証情報に含まれるグリップ位置に実際のグリップ位置を合わせる操作が簡単になる。
【００１５】
また、認証ステップにおいて、グリップ位置検出手段によって検出されたグリップ位置及び傾斜度検出手段によって検出された筐体の傾斜度に所定時間変化がなかった場合に、そのグリップ位置及び傾斜度と認証情報格納手段に格納された認証情報に含まれるグリップ位置及び傾斜度とを照合することが好ましい。これにより、傾斜度及びグリップ位置の偶然の一致による誤ったセキュリティ解除がなされることを防止できる。
【発明の効果】
【００１６】
本発明によれば、一定のセキュリティレベルを担保しつつも、ユーザが簡易にセキュリティの解除を行うことができる。
【図面の簡単な説明】
【００１７】
【図１】本発明に係る携帯端末の一実施形態を示す斜視図である。
【図２】図１に示した携帯端末の機能的な構成要素を示すブロック図である。
【図３】認証情報格納部に格納される情報の一例を示す図である。
【図４】ユーザが筐体をグリップしている様子を示す図である。
【図５】表示部に表示されるグリップ位置及び傾斜度の一例を示す図である。
【図６】認証情報の設定手順を示すフローチャートである。
【図７】ユーザの認証手順を示すフローチャートである。
【発明を実施するための形態】
【００１８】
以下、図面を参照しながら、本発明に係る携帯端末の好適な実施形態について詳細に説明する。
【００１９】
図１は、本発明に係る携帯端末の一実施形態を示す図である。図１に示す携帯端末１は、物理的には、例えばＣＰＵ（中央処理装置）、メモリ、通信インターフェイス、ハードディスクなどを備えた携帯電話機である。この携帯端末１は、プッシュボタンが配列された基端側の筐体２Ａに対し、表示部３が配置された先端側の筐体２Ｂを自在に開閉可能な折りたたみ式携帯端末となっている。また、携帯端末１は、第三者による不正な操作を防止するセキュリティ機能を有しており、筐体２Ｂを折りたたんだ際に表示部３が自動でロックされるようになっている。
【００２０】
携帯端末１の基端側の筐体２Ａの左右の側面には、帯状の静電パッド（グリップ位置検出手段）４，４がそれぞれ設けられている。静電パッド４は、パッド下の電極の静電容量の変化によってユーザの指などが触れたことを検出する部分である。また、静電パッド４には、例えば領域ごとにＡ〜Ｌまでの位置情報が割り当てられており、例えば筐体２Ａの右側面の上側から順にＡ〜Ｆの６領域、左側面の上側から順にＧ〜Ｌの６領域に区分されている。さらに、筐体２Ａの内部には、加速度センサ（傾斜度検出手段：図２参照）５が設けられている。加速度センサ５は、例えば３軸加速度センサであり、筐体２Ａの傾斜度を３次元的に検出する。
【００２１】
図２は、携帯端末１の機能的な構成要素を示す図である。同図に示すように、携帯端末１は、機能的な構成要素として、上述した静電パッド４及び加速度センサ５からなる検知部１０と、設定部１０１及び判断部１０２からなる認証部１１と、認証情報が格納される認証情報格納部１０３と、表示部３の表示を制御する表示制御部１０４とを有している。
【００２２】
設定部１０１は、認証情報の設定を行う部分である。設定部１０１は、ユーザによる所定の操作を契機として、静電パッド４によるグリップ位置の検出と、加速度センサ５による傾斜度の検出とを同時に行う設定モードを実施する。この設定モードでは、設定部１０１から表示制御部１０４に対して、操作案内の表示を指示する指示情報が出力される。これにより、例えば図３に示すように、基端側の筐体２Ａをグリップすると共に筐体２Ａを任意の姿勢に傾けるように、ユーザに向けて表示部３に操作案内が表示される。
【００２３】
次に、表示部３には、例えば図４に示すように、ユーザのグリップ位置を示すスケール３Ａ，３Ａと、筐体２Ａの傾斜度を示すスケール３Ｂとがそれぞれ表示される。グリップ位置を示すスケール３Ａには、静電パッド４によってユーザの指などが触れている領域が色などで示され、傾斜度を示すスケール３Ｂには、設定モードが実施されてからの筐体２Ａの傾斜度の指標が示されている。傾斜度の指標は、例えば筐体２Ａをユーザから見て手前に傾けたときを正、奥に傾けたときを負として、例えば−５〜＋５の範囲で設けられている。
【００２４】
ユーザがグリップ位置及び傾斜度を特定の位置で固定し、所定時間（例えば３秒間）が経過すると、設定部１０１は、そのグリップ位置及び傾斜度を認証情報として認証情報格納部１０３に格納する。図５は、認証情報格納部１０３に格納される情報の一例を示す図である。図５に示す例では、携帯端末１のユーザＩＤ「０００１」に関連付けて、設定モードで設定された傾斜度「＋２」と、グリップ位置「Ａ，Ｈ，Ｉ，Ｊ，Ｋ」とが格納されている。
【００２５】
判断部１０２は、ユーザの認証の可否を判断する部分である。判断部１０２は、認証情報の設定後、先端側の筐体２Ｂが基端側の筐体２Ａに対して開かれたことを契機として、静電パッド４によるグリップ位置の検出と、加速度センサ５による傾斜度の検出とを同時に行う認証モードを実施する。この認証モードでは、設定モードの場合と同様に、判断部１０２から表示制御部１０４に対して、操作案内の表示を指示する指示情報が出力される。これにより、例えば図３に示したように、基端側の筐体２Ａをグリップすると共に筐体２Ａを任意の姿勢に傾けるように、ユーザに向けて表示部３に操作案内が表示される。
【００２６】
次に、表示部３には、例えば図４に示したように、ユーザのグリップ位置を示すスケール３Ａ，３Ａと、筐体２Ａの傾斜度を示すスケール３Ｂとがそれぞれ表示される。ユーザがグリップ位置及び傾斜度を特定の位置で固定し、所定時間（例えば３秒間）が経過すると、判断部１０２は、そのグリップ位置及び傾斜度に基づいて、認証情報格納部１０３に格納された認証情報に含まれるグリップ位置及び傾斜度との照合を行う。判断部１０２は、両者が一致している場合にユーザを認証し、携帯端末１のセキュリティを解除する。一方、判断部１０２は、両者が一致しない場合にはユーザを認証せず、携帯端末１のセキュリティを継続する。
【００２７】
続いて、上述した構成を有する携帯端末の動作について説明する。図６は、認証情報の設定手順を示すフローチャートである。また、図７は、ユーザの認証手順を示すフローチャートである。
【００２８】
認証情報の設定を行う場合、図６に示すように、ユーザによる所定の操作を契機として、ユーザに向けて表示部３に操作案内が表示される（ステップＳ０１）。次に、筐体２Ａにおけるグリップ位置の検知がなされ（ステップＳ０２）、更に筐体２Ａの傾斜度の検知がなされる（ステップＳ０３）。このとき、検知されたグリップ位置及び傾斜度に所定時間変化が無かったか否かが判断され（ステップＳ０４）、所定時間変化が無かったと判断された場合には、そのグリップ位置及び傾斜度が認証情報として登録される（ステップＳ０５）。これ以降、携帯端末１では、筐体２Ｂを折りたたんだ際に表示部３が自動でロックされるようになる。一方、所定時間経過前にグリップ位置及び傾斜度が変化したと判断された場合には、ステップＳ０２に戻り、再度グリップ位置及び傾斜度の検知がなされる。
【００２９】
一方、ユーザ認証を行う場合、図７に示すように、ユーザが筐体２Ｂを開いたことを契機として、ユーザに向けて表示部３に操作案内が表示される（ステップＳ１１）。次に、筐体２Ａにおけるグリップ位置の検知がなされ（ステップＳ１２）、更に筐体２Ａの傾斜度の検知がなされる（ステップＳ１３）。このとき、検知されたグリップ位置及び傾斜度に所定時間変化が無かったか否かが判断され（ステップＳ１４）、所定時間経過前にグリップ位置及び傾斜度が変化したと判断された場合には、ステップＳ１２に戻り、再度グリップ位置及び傾斜度の検知がなされる。
【００３０】
ステップＳ１４において、グリップ位置及び傾斜度に所定時間変化が無かったと判断された場合には、そのグリップ位置及び傾斜度に基づいて認証情報との照合がなされる（ステップＳ１５）。そして、検出されたグリップ位置及び傾斜度と、認証情報に含まれるグリップ位置及び傾斜度とが一致しているか否かの判断がなされ（ステップＳ１６）、両者が一致している場合にユーザが認証され、携帯端末１のセキュリティが解除される（ステップＳ１７）。両者が一致していない場合にはユーザは認証されず、携帯端末１のセキュリティが継続される。
【００３１】
以上説明したように、携帯端末１では、ユーザによる筐体２Ａのグリップ位置と筐体２Ａの傾斜度とが予め格納された特定のグリップ位置及び傾斜度に一致している場合にユーザの認証を行うようになっている。したがって、ユーザは、携帯端末１の筐体２Ａを握って傾けるだけの簡単な操作でセキュリティの解除を行うことができる。また、グリップ位置は、ユーザによって特有の位置であり、傾斜度との組み合わせは無数に存在するため、一定のセキュリティレベルを担保できる。
【００３２】
また、携帯端末１では、認証情報の設定時及びユーザ認証時に、検出された筐体２Ａのグリップ位置及び傾斜度が表示部３に表示されるようになっている。このため、ユーザが所望のグリップ位置及び傾斜度に合わせることが簡単となり、認証情報の設定及び実際の認証時の操作をスムーズに行うことが可能となる。
【００３３】
また、携帯端末１では、検出されたグリップ位置及び傾斜度に所定時間変化がなかった場合に、そのグリップ位置及び傾斜度を用いてユーザ認証を行っている。これにより、傾斜度及びグリップ位置の偶然の一致による誤ったセキュリティ解除がなされることを防止できる。
【００３４】
本発明は、上記実施形態に限られるものではない。例えば上述した実施形態では、折りたたみ式の携帯端末１を例示しているが、本発明は折りたたみ式以外の携帯端末１に適用することが可能である。また、上述した実施形態では、１次元の傾斜度を認証情報として用いているが、２次元或いは３次元の傾斜度を認証情報として用いるようにしてもよい。静電パッド４の位置は、筐体２Ａの側面だけでなく正面や背面に配置してもよい。加速度センサ５は、筐体２Ｂ側に設けてもよい。
【符号の説明】
【００３５】
１…携帯端末、２Ａ，２Ｂ…筐体、３…表示部（表示手段）、４…静電パッド（グリップ位置検出手段）、５…加速度センサ（傾斜度検出手段）、１１…認証部（認証手段）、１０３…認証情報格納部（認証情報格納手段）、１０４…表示制御部（表示制御手段）。
【図１】
2011217149.tif 000003
【図２】
2011217149.tif 000004
【図３】
2011217149.tif 000005
【図４】
2011217149.tif 000006
【図５】
2011217149.tif 000007
【図６】
2011217149.tif 000008
【図７】
2011217149.tif 000009